(57)【要約】  【課題】  現在位置に応じて放送用電波の受信周波数を制御することができる車載用レシーバを提供する。  【解決手段】  この車載用レシーバは、放送用電波を受信して得られる受信信号に基づいて音声信号及び／又は画像信号を生成する第１の受信部１０と、同一の放送局に属する複数の送信局から放送用電波が送信される地域的範囲に関する送信範囲情報を格納する格納部６２と、ＧＰＳ用電波を受信することにより、現在位置に関する位置情報を取得する第２の受信部５０と、第２の受信部によって取得された位置情報と格納部に格納されている送信範囲情報とに基づいて、第１の受信部における受信周波数を制御する制御部６１とを具備する。【選択図】  図１
2006217456.tif 000002
【特許請求の範囲】
【請求項１】
自動車に搭載されて放送用電波を受信する車載用レシーバであって、
放送用電波を受信して得られる受信信号に基づいて音声信号及び／又は画像信号を生成する第１の受信部と、
同一の放送局に属する複数の送信局から放送用電波が送信される地域的範囲に関する送信範囲情報を格納する格納部と、
ＧＰＳ用電波を受信することにより、現在位置に関する位置情報を取得する第２の受信部と、
前記第２の受信部によって取得された位置情報と前記格納部に格納されている送信範囲情報とに基づいて、前記第１の受信部における受信周波数を制御する制御部と、
を具備する車載用レシーバ。
【請求項２】
前記制御部が、前記第２の受信部によって取得された位置情報によって表される現在位置が第１の送信局が受け持つ第１の範囲から前記第１の送信局と同一の放送局に属する第２の送信局が受け持つ第２の範囲に移動したことを検出して、前記第１の送信局の送信周波数から前記第２の送信局の送信周波数に受信周波数を切り換えるように前記第１の受信部を制御する、請求項１記載の車載用レシーバ。
【請求項３】
無線ＬＡＮのアクセスポイントとの間で無線通信を行う移動可能な無線ＬＡＮ端末であって、
無線ＬＡＮのアクセスポイントとの間で無線ＬＡＮ用電波を送受信する送受信部と、
複数の地域においてそれぞれ登録されている複数の無線ＬＡＮのアクセスポイントに関する登録アクセスポイント情報を格納する格納部と、
ＧＰＳ用電波を受信することにより、現在位置に関する位置情報を取得する受信部と、
前記受信部によって取得された位置情報と前記格納部に格納されている登録アクセスポイント情報とに基づいて、現在位置において電波が受信されるアクセスポイントに対するアクセスの許否を制御し、及び／又は、現在位置において電波が受信されるアクセスポイントに関する情報を表示部に表示させる制御部と、
を具備する無線ＬＡＮ端末。
【請求項４】
ＧＰＳ用の電波を受信することによって目的地までの経路を表示するナビゲーション端末であって、
地図情報、及び、複数の地域に存在して広告用電波をそれぞれ送信している複数の店舗に関する評価情報を格納する格納部と、
ＧＰＳ用電波を受信することにより、現在位置に関する位置情報を取得する受信部と、
前記受信部によって取得された位置情報と前記格納部に格納されている評価情報とに基づいて、現在位置から所定の範囲内において広告用電波を送信している店舗に関する評価情報を表示部に表示させる制御部と、
を具備するナビゲーション端末。
【発明の詳細な説明】
【技術分野】
【０００１】
本発明は、自動車に搭載されてラジオ放送やテレビ放送等の放送用電波を受信する車載用レシーバに関する。さらに、本発明は、移動可能な無線ＬＡＮ端末、及び、自動車又は人間用のナビゲーション端末に関する。
【背景技術】
【０００２】
例えば、ＦＭ放送においては、山や谷等の地形の変化によって、電波の届く範囲が比較的狭い範囲に限られてしまうので、１つの番組を放送するために、同一の放送局に属する複数の送信局（地方局）からそれぞれの電波を送信することが行われている。その際に、複数の地方局から送信される電波が互いに干渉しないように、これらの地方局において異なる周波数の電波が用いられる。
【０００３】
しかしながら、自動車に乗って広範囲の地域を移動する際に、例えば、自動車が山岳地帯のトンネルを通過することにより地方局の受け持ち範囲の境界線を超えると、今まで受信していた番組が受信できなくなってしまうので、その番組を継続して受信するためには、車載用レシーバの受信周波数を変更する必要がある。特に、自分で自動車を運転している場合には、受信周波数を変更するために車載用レシーバを操作することは煩雑かつ危険であった。
【０００４】
関連する技術として、下記の特許文献１には、自動車位置に関連させた２重チャンネル広告法が開示されている。この２重チャンネル広告法によれば、自動車情報装置が、特定の関心のある地点に関する情報を収集する。利用者は、自動車のその時点での現在位置に対する指定した関心のある地点までの移動方向と距離を示す表示を含め、当該情報を呼び出して表示する。２重チャンネル広告が、音声放送とデータ放送により送信される。音声放送で関心のある広告を聴取すると、利用者は、広告主の位置を含む関連データ放送を取り込む。自動車の現在位置から関心のある地点までの移動距離と相対的な方向が、これにより表示される。
【０００５】
この２重チャンネル広告法は、音声放送とデータ放送とを行うことにより、関心のある地点に関する位置情報を提供するものではあるが、自動車に乗って走行する地域に応じて車載用レシーバの受信周波数を変更することに関しては、何ら開示されていない。
【０００６】
また、近年においては、移動可能な無線ＬＡＮ（ローカル・エリア・ネットワーク）端末が実用化されているが、無線信号が用いられることにより違法行為を行うことが比較的容易になっているので、セキュリティを強化することが要望されている。さらに、自動車や人間のためのナビゲーション端末において、電波を利用して誇大広告を行っている店舗を避けることができるようにすれば便利である。
【特許文献１】特表平１０−５０５４４１号公報（第１頁、図１）
【発明の開示】
【発明が解決しようとする課題】
【０００７】
そこで、上記の点に鑑み、本発明の第１の目的は、現在位置に応じて放送用電波の受信周波数を制御することができる車載用レシーバを提供することである。また、本発明の第２の目的は、セキュリティを強化した無線ＬＡＮ端末を提供することである。さらに、本発明の第３の目的は、電波を利用して誇大広告を行っている店舗を避けることができるナビゲーション端末を提供することである。
【課題を解決するための手段】
【０００８】
以上の課題を解決するため、本発明に係る車載用レシーバは、自動車に搭載されて放送用電波を受信する車載用レシーバであって、放送用電波を受信して得られる受信信号に基づいて音声信号及び／又は画像信号を生成する第１の受信部と、同一の放送局に属する複数の送信局から放送用電波が送信される地域的範囲に関する送信範囲情報を格納する格納部と、ＧＰＳ用電波を受信することにより、現在位置に関する位置情報を取得する第２の受信部と、第２の受信部によって取得された位置情報と格納部に格納されている送信範囲情報とに基づいて、第１の受信部における受信周波数を制御する制御部とを具備する。
【０００９】
ここで、制御部が、第２の受信部によって取得された位置情報によって表される現在位置が第１の送信局が受け持つ第１の範囲から第１の送信局と同一の放送局に属する第２の送信局が受け持つ第２の範囲に移動したことを検出して、第１の送信局の送信周波数から第２の送信局の送信周波数に受信周波数を切り換えるように第１の受信部を制御するようにしても良い。
【００１０】
また、本発明に係る無線ＬＡＮ端末は、無線ＬＡＮのアクセスポイントとの間で無線通信を行う移動可能な無線ＬＡＮ端末であって、無線ＬＡＮのアクセスポイントとの間で無線ＬＡＮ用電波を送受信する送受信部と、複数の地域においてそれぞれ登録されている複数の無線ＬＡＮのアクセスポイントに関する登録アクセスポイント情報を格納する格納部と、ＧＰＳ用電波を受信することにより、現在位置に関する位置情報を取得する受信部と、受信部によって取得された位置情報と格納部に格納されている登録アクセスポイント情報とに基づいて、現在位置において電波が受信されるアクセスポイントに対するアクセスの許否を制御し、及び／又は、現在位置において電波が受信されるアクセスポイントに関する情報を表示部に表示させる制御部とを具備する。
【００１１】
また、本発明に係るナビゲーション端末は、ＧＰＳ用の電波を受信することによって目的地までの経路を表示するナビゲーション端末であって、地図情報、及び、複数の地域に存在して広告用電波をそれぞれ送信している複数の店舗に関する評価情報を格納する格納部と、ＧＰＳ用電波を受信することにより、現在位置に関する位置情報を取得する受信部と、受信部によって取得された位置情報と格納部に格納されている評価情報とに基づいて、現在位置から所定の範囲内において広告用電波を送信している店舗に関する情報を表示部に表示させる制御部とを具備する。
【発明の効果】
【００１２】
本発明に係る車載用レシーバによれば、ＧＰＳ用電波を受信することにより取得された位置情報と格納部に格納されている送信範囲情報とに基づいて、現在位置に応じて放送用電波の受信周波数を制御することができる。また、本発明に係る無線ＬＡＮ端末によれば、ＧＰＳ用電波を受信することによって取得された位置情報と格納部に格納されている登録アクセスポイント情報とに基づいて、現在位置において電波が受信されるアクセスポイントに対するアクセスの許否を判断することにより、セキュリティを強化することができる。さらに、本発明に係るナビゲーション端末によれば、ＧＰＳ用電波を受信することによって取得された位置情報と格納部に格納されている評価情報とに基づいて、現在位置から所定の範囲内において広告用電波を送信している店舗に関する評価情報を表示することにより、電波を利用して誇大広告を行っている店舗を避けることができる。
【発明を実施するための最良の形態】
【００１３】
以下、本発明を実施するための最良の形態について、図面を参照しながら詳しく説明する。なお、同一の構成要素には同一の参照番号を付して、説明を省略する。
図１は、本発明の一実施形態に係る車載用レシーバ及びその周辺部分の構成を示すブロック図である。この車載用レシーバは、自動車に搭載され、ラジオ放送用の電波を受信して音声信号を生成して増幅し、増幅された音声信号をスピーカ１００に供給する。
【００１４】
図１に示すように、車載用レシーバは、ＦＭ放送又はＡＭ放送用の電波を受信して得られる受信信号に基づいて音声信号を生成するＦＭ／ＡＭ受信部１０と、ＦＭ／ＡＭ受信部１０から出力される音声信号を増幅して、増幅された音声信号をスピーカ１００に供給するアンプ２０と、所望の放送局を選局したり音量を調節したりするために操作される操作部３０と、選局状況を表示する表示部４０と、ＧＰＳ用電波を受信して自動車が走行している現在位置に関する位置情報を取得するＧＰＳ受信部５０と、マイクロ・コンピュータ・ユニット（ＭＣＵ）６０とを有している。
【００１５】
ＭＣＵ６０は、制御部６１と格納部６２とを含んでいる。制御部６１は、ＣＰＵ（中央演算装置）及びソフトウェア（制御プログラム）によって構成され、車載用レシーバの各部を制御する。また、格納部６２は、メモリ（ＲＯＭ）等によって構成され、この制御プログラムと共に、複数の放送局の各々について、同一の放送局に属する複数の送信局から放送用電波が送信される地域的範囲に関する送信範囲情報を格納する。
【００１６】
操作部３０において、選局は、放送局の送信周波数ではなく、放送局の名称又は番号によって行われるようになっている。選局に際し、ユーザが操作部３０を操作することにより指定した放送局を指示する選局指示信号は、操作部３０から制御部６１に出力される。制御部６１は、選局指示信号に従って、ＧＰＳ受信部５０によって取得された位置情報と格納部６２に格納されている送信範囲情報とに基づいて、指定された放送局に属する複数の送信局（地方局）の内から、現在位置を含む送信範囲を有する送信局を選択し、その送信局の電波を受信するように、ＦＭ／ＡＭ受信部１０における受信周波数を制御するための制御信号を生成する。また、制御部６１は、表示部４０に選局状況を表示させるための選局表示信号を生成する。
【００１７】
自動車が送信局の受け持ち範囲の境界線を超える場合には、今まで受信していた番組が受信できなくなってしまうので、制御部６１は、ＧＰＳ受信部５０によって取得された位置情報と格納部６２に格納されている送信範囲情報とに基づいて、新たな送信局を選択し、その送信局の電波を受信するように、ＦＭ／ＡＭ受信部１０における受信周波数を制御するための制御信号を生成する。
【００１８】
例えば、茨城県南部の龍ケ崎市から長野県の富士見まで自動車に乗って移動する際に、交通情報を聞くためにＦＭ放送局Ａ（例えば、ＦＭ−ＦＵＪＩとする）の電波を受信しようとすると、笹子峠のトンネルまでは三つ峠の送信局（以下、「送信局Ａ１」という）から送信される７８．６ＭＨｚの電波を受信することができ、笹子峠のトンネルを超えると、坊ケ峰の送信局（以下、「送信局Ａ２」という）から送信される８３．０ＭＨｚの電波を受信することができる。
【００１９】
なお、笹子峠のトンネル内においては、下り車線を走行中は、送信局Ａ１から送信される７８．６ＭＨｚの電波を受信することができ、上り車線を走行中は、送信局Ａ２から送信される８３．０ＭＨｚの電波を受信することができる。
【００２０】
龍ケ崎市において、ユーザが操作部３０を操作することによってＦＭ放送局Ａを指定すると、制御部６１は、ＧＰＳ受信部５０によって取得された位置情報に基づいて現在位置を認識し、格納部６２に格納されている送信範囲情報を参照することにより、ＦＭ放送局Ａに属する送信局Ａ１を選択し、送信局Ａ１から送信される７８．６ＭＨｚの電波を受信するようにＦＭ／ＡＭ受信部１０を制御する。
【００２１】
自動車の走行中においても、制御部６１は、ＧＰＳ受信部５０によって取得された位置情報に基づいて現在位置を継続的に認識する。自動車が笹子峠のトンネルから西側に抜け出る際に、制御部６１は、ＧＰＳ受信部５０によって取得された位置情報によって表される現在位置が、送信局Ａ１が受け持つ範囲から送信局Ａ２が受け持つ範囲に移動したことを検出する。そこで、制御部６１は、送信局Ａ１の送信周波数から送信局Ａ２の送信周波数に受信周波数を切り換えるようにＦＭ／ＡＭ受信部１０を制御する。これにより、ユーザが操作部３０を操作しなくても、ＦＭ放送局Ａの番組を継続して受信することができる。
【００２２】
なお、本実施形態においては、ラジオ放送用の電波を受信する場合について説明したが、本発明は、テレビ放送用の電波を受信する場合にも適用することができる。その場合には、ＦＭ／ＡＭ受信部１０の替わりに、テレビ放送用の電波を受信して得られる受信信号に基づいて音声信号及び画像信号を生成するテレビ電波受信部を設ければ良い。
【００２３】
次に、本発明の一実施形態に係る無線ＬＡＮ端末について説明する。
図２は、本発明の一実施形態に係る無線ＬＡＮ端末の構成を示すブロック図である。この無線ＬＡＮ端末は、自動車等に搭載して、又は、人間が持ち運ぶことにより移動可能な無線ＬＡＮ端末であって、無線ＬＡＮのアクセスポイントとの間で無線通信を行うことにより、ネットワークに接続して使用することが可能である。
【００２４】
図２に示すように、無線ＬＡＮ端末は、ＧＰＳ用電波を受信して無線ＬＡＮ端末の現在位置に関する位置情報を取得するＧＰＳ受信部５０と、無線ＬＡＮのアクセスポイントとの間で無線ＬＡＮ用電波を送受信する電波送受信部１１０と、データやコマンドを入力するために操作される操作部１２０と、各種の情報を表示する表示部１３０と、マイクロ・コンピュータ・ユニット（ＭＣＵ）１４０とを有している。
【００２５】
ＭＣＵ１４０は、制御部１４１と格納部１４２とを含んでいる。制御部１４１は、ＣＰＵ（中央演算装置）及びソフトウェア（プログラム）によって構成される。また、格納部１４２は、ハードディスクやメモリ等によって構成され、このプログラムと共に、複数の地域においてそれぞれ登録されている複数の無線ＬＡＮのアクセスポイントに関する登録アクセスポイント情報を格納する。
【００２６】
ユーザが操作部１２０を操作することにより、電波送受信部１１０が受信した電波に基づいて無線ＬＡＮのアクセスポイントが近くに存在することが確認されると、アクセスポイントとクライアントが利用するチャンネルの設定、ＳＳＩＤ（サービスセットＩＤ）の設定、ＷＥＰ（Wired Equivalent Privacy）と呼ばれる暗号機能のためのキーの設定等に基づいて、そのアクセスポイントにアクセスすることが可能となる。
【００２７】
しかしながら、多数存在するアクセスポイントの中には、ユーザから、無線ＬＡＮのＳＳＩＤやＷＥＰの設定、若しくは、クレジットカードやキャッシュカードのＩＤ番号やパスワード等を盗むことを目的として、アクセスポイントになりすましている擬似局も含まれている。無線信号が用いられることにより、このような違法行為を行うことが比較的容易となっているので、本実施形態においては、ＧＰＳ用の電波を利用することによってセキュリティを強化している。
【００２８】
制御部１４１は、電波送受信部１１０が受信した電波に基づいてアクセスポイントが近くに存在することが確認されると、ＧＰＳ受信部５０によって取得された位置情報と格納部１４２に格納されている登録アクセスポイント情報とに基づいて、現在位置において電波が受信されるアクセスポイントに対するアクセスの許否を制御し、及び／又は、現在位置において電波が受信されるアクセスポイントに関する情報を表示するように表示部１３０に表示信号を出力する。
【００２９】
例えば、複数の地域においてそれぞれ登録されている複数の無線ＬＡＮのアクセスポイントに関する登録アクセスポイントのリストが格納部１４２に格納されている場合に、制御部１４１は、現在位置から所定の範囲内にあって通信可能と考えられる登録アクセスポイントを検索し、現在位置において電波が受信されるアクセスポイントが検索されたアクセスポイントに含まれていない場合には、そのアクセスポイントに対するアクセスを禁止すると共に、そのアクセスポイントが登録されていないのでアクセスを中断した旨のメッセージを表示部１３０の画面に表示するようにしても良い。ユーザは、操作部１２０を操作することにより、そのアクセスポイントへのアクセスを続行することもできる。
【００３０】
あるいは、制御部１４１は、そのアクセスポイントが登録されていない旨の警告を表示部１３０の画面に表示するようにしても良い。ユーザは、表示部１３０の画面を見て、そのアクセスポイントへのアクセスを中止することができる。
【００３１】
次に、本発明の一実施形態に係るナビゲーション端末について説明する。
図３は、本発明の一実施形態に係るナビゲーション端末の構成を示すブロック図である。このナビゲーション端末は、自動車等に搭載して、又は、人間が持ち運ぶことにより移動可能なナビゲーション端末であり、ＧＰＳ用の電波を受信することによって、現在位置から目的地までの経路を表示することが可能である。特に、このナビゲーション端末を携帯電話等に内蔵することにより、マンナビゲーション・システムの一部として使用することができる。
【００３２】
図３に示すように、ナビゲーション端末は、ＧＰＳ用電波を受信してナビゲーション端末の現在位置に関する位置情報を取得するＧＰＳ受信部５０と、目的地等の情報を入力するために操作される操作部２１０と、現在位置から目的地までの経路等を表示する表示部２２０と、マイクロ・コンピュータ・ユニット（ＭＣＵ）２３０とを有している。
【００３３】
ＭＣＵ２３０は、制御部２３１と格納部２３２とを含んでいる。制御部２３１は、ＣＰＵ（中央演算装置）及びソフトウェア（プログラム）によって構成される。また、格納部２３２は、メモリ（ＲＯＭ）等によって構成され、このプログラムと共に、地図情報、及び、複数の地域に存在して携帯電話サービスやラジオ放送によって広告用電波をそれぞれ送信している複数の店舗に関する評価情報を格納する。
【００３４】
ユーザが操作部２１０を操作することにより、ＧＰＳ受信部５０が受信したＧＰＳ用の電波に基づいてナビゲーション端末の現在位置に関する位置情報が取得され、さらに、目的地までの経路が求められて表示部２２０に表示される。しかしながら、現在位置から目的地までの経路において、上記のような店舗から送信される広告用電波を携帯電話機やラジオ受信機によって受信する場合がある。そのような場合に、その店舗に関する一般的な評価を知ることができれば便利である。
【００３５】
そこで、本実施形態においては、全国の様々な地域に存在して携帯電話サービスやラジオ放送によって広告用電波を送信している様々な店舗に関する調査によって予め得られた評価情報が、格納部２３２に格納されている。制御部２３１は、ＧＰＳ受信部５０によって取得された位置情報と、格納部２３２に格納されている評価情報とに基づいて、現在位置から所定の範囲内において広告用電波を送信している店舗に関する評価情報を表示するように、表示部２２０に表示信号を出力する。
【００３６】
例えば、表示部２２０の画面に、現在位置から半径１００ｍ以内において広告用電波を送信している店舗について、評価ランクをＡ〜Ｄの４段階評価で表示するようにしても良い。ユーザは、表示部１３０の画面を見て、その店舗に行くか否かを決定することができる。
【図面の簡単な説明】
【００３７】
【図１】本発明の一実施形態に係る車載用レシーバ及びその周辺部分の構成を示す図。
【図２】本発明の一実施形態に係る無線ＬＡＮ端末の構成を示すブロック図。
【図３】本発明の一実施形態に係るナビゲーション端末の構成を示すブロック図。
【符号の説明】
【００３８】
１０  ＦＭ／ＡＭ受信部、  ２０  アンプ、  ３０、１２０、２１０  操作部、  ４０、１３０、２２０  表示部、  ５０  ＧＰＳ受信部、  ６０、１４０、２３０  マイクロ・コンピュータ・ユニット（ＭＣＵ）、  ６１、１４１、２３１  制御部、  ６２、１４２、２３２  格納部、  １００  スピーカ、  １１０  電波送受信部
【図１】
2006217456.tif 000003
【図２】
2006217456.tif 000004
【図３】
2006217456.tif 000005